(57)【要約】【課題】水田等の圃場を区画する畔地に固形状の忌避剤を埋め込むため、圃場の畔地に溝を作構し、その作溝時に掘り返された土に忌避剤を混入し、その忌避剤が混入された土を作構された溝へ埋め戻し、更に、その土が埋め戻された箇所を整地して畔地表面を復旧させる一連の作業ができる畔地作溝機を提供すること。【解決手段】作溝ディスク２により掘削された土は、畔地５１表面に敷設されていた害獣忌避剤５２と混合され忌避剤混合土５４が生成される。この忌避剤混合土５４は、作溝ディスク２の回転により進行方向後側へ掃き出され、土寄せ部材１３によって作溝された溝５３内へ寄せ集められ、結果、溝５３が埋め戻される。埋め戻された忌避剤混合土５４は、作溝機１を矢印Ｘ方向へ進行させる過程で畔地５１表面で転動する転圧ローラ２により押圧され、忌避剤混合土５４の盛り上がりが押し潰されて畔地５１表面がほぼ平坦に整地される。【選択図】　　　　図６
2004113121.tif 000002
【特許請求の範囲】
【請求項１】
水田等の圃場の畔地に作溝する畔地作溝機において、
複数の歯が間隔を隔てて外周に突出形成された作溝ディスクと、
その作溝ディスクより幅広状に形成される転圧ローラと、
その転圧ローラを回転可能に軸支すると共に、その転圧ローラと前記作溝ディスクとが平面視同一直線上に配設されるように前記作溝ディスクを回転可能に軸支するフレーム部材と、
そのフレーム部材における前記作溝ディスク及び転圧ローラ間であって、その作溝ディスク及び転圧ローラと平面視同一直線上に配設されると共に、その転圧ローラ側から前記作溝ディスク側へと拡開され、その拡開部分の内面間に前記作溝ディスクが遊挿される土寄せ部材と、
その土寄せ部材が設けられる前記フレーム部材に搭載され、前記作溝ディスクにおける地中への埋入部分が前記土寄せ部材側へ向かうように前記作溝ディスクを回転駆動させる駆動装置とを備えていることを特徴とする畔地作溝機。
【請求項２】
前記フレーム部材には、前記転圧ローラより前記作溝ディスクの反配設側上方へ延在されるハンドル部材が設けられていることを特徴とする請求項１記載の畔地作溝機。
【請求項３】
前記駆動装置は、前記転圧ローラの略上方に位置するように前記フレーム部材に搭載されていることを特徴とする請求項１又は２に記載の畔地作溝機。
【請求項４】
前記土寄せ部材は、前記転圧ローラ側から前記作溝ディスク側へと平面視略Ｖ字形に拡開形成されており、
前記フレーム部材は、前記作溝ディスクの一部が埋入された場合、前記転圧ローラ及び前記土寄せ部材の下面によって地表面に支持される構造とされていることを特徴とする請求項１から３のいずれかに記載の畔地作溝機。
【発明の詳細な説明】
【０００１】
【発明の属する技術分野】本発明は、水田等の圃場を区画する畔地に固形状の忌避剤を埋め込むため、圃場の畔地に溝を作構し、その作溝時に掘り返された土に忌避剤を混入し、その忌避剤が混入された土を作構された溝へ埋め戻し、更に、その土が埋め戻された箇所を整地して畔地表面を復旧させる一連の作業に適した畔地作溝機に関するものである。
【０００２】
【従来の技術】水田等の圃場で栽培される作物は、常に、各種の害虫や害獣からの被害に曝されており、圃場の作物栽培では害虫や害獣の駆除や忌避に関する対策が種々講じられている。例えば、モグラや野ネズミは圃場で栽培される作物、例えば、水田で栽培される水稲を食い荒らすなどの被害を起こす一方で、水田を区画する畔地に穴を開ける等して畔地を崩壊させることもある。水田の畔地が崩壊してしまうと、その崩壊部分から水田内の貯留水が外部へ漏出するため、水田内の水位調整ができず、惹いては、水稲の発育状況が悪化してしまう虞がある。
【０００３】
そこで、モグラや野ネズミが畔地に穴を開けて水田内へ侵入することを防止するため、各種の対策が講じられているが、その一例として、忌避剤を畔地に播く場合がある。モグラや野ネズミなどの害獣に対して忌避効果を有する忌避剤は多数存在するが、水田などの圃場で使用される忌避剤にあっては、作物を栽培する関係上、その毒性が問題となる。例えば、液体状の忌避剤は、土への浸透速度が速いために地中へ即座に浸透する。このため、液体状の忌避剤は、作業者に過度の負担を課すことなく忌避剤を畔地の地中へ散布できるが、その反面で、忌避剤による作物や地下水脈の汚染が懸念される。
【０００４】
そこで、肥料や土壌改良剤等として利用される固形状の消石灰を畔地に埋め込むことにより害獣を駆除する方法が知られている。このような固形状の消石灰は、元々肥料や土壌改良剤等として利用されるものであるので、作物や地下水脈の汚染が軽減される一方、液体状の忌避剤に比べて地中への浸透速度が遅い。そのため、忌避剤としての効能が持続する期間も長く、且つ、短時間に大量の薬物が作物や地下水脈へ浸透することがなく、その分、薬物汚染も抑制される。
【０００５】
【発明が解決しようとする課題】しかしながら、固形状の忌避剤を使用した害獣駆除方法では、圃場の畔地表面に忌避剤を散布するだけでは、地中を移動するモグラや野ネズミを駆除できないため、畔地表面の土を掘り起こして、忌避剤を混入した後、土を埋め戻すという一連の作業を、作業者自らが手作業で行う必要がある。しかも、畔地は隣接する水田同士を区画するものであり、水田の外周全体に周設されるものである。そのため、水田への害獣の侵入を確実に防止するには、水田に周設される畔地全体に忌避剤を途切れることなく埋入させなければならず、これでは作業者に過度な負担を強いてしまうという問題点があった。
【０００６】
本発明は、上述した問題点を解決するためになされたものであり、水田等の圃場を区画する畔地に固形状の忌避剤を埋め込むため、圃場の畔地に溝を作構し、その作溝時に掘り返された土に忌避剤を混入し、その忌避剤が混入された土を作構された溝へ埋め戻し、更に、その土が埋め戻された箇所を整地して畔地表面を復旧させる一連の作業ができる畔地作溝機を提供することを目的としている。
【０００７】
【課題を解決するための手段】この目的を達成するために請求項１記載の畔地作溝機は、水田等の圃場の畔地に作溝するものであり、複数の歯が間隔を隔てて外周に突出形成された作溝ディスクと、その作溝ディスクより幅広状に形成される転圧ローラと、その転圧ローラを回転可能に軸支すると共に、その転圧ローラと前記作溝ディスクとが平面視同一直線上に配設されるように前記作溝ディスクを回転可能に軸支するフレーム部材と、そのフレーム部材における前記作溝ディスク及び転圧ローラ間であって、その作溝ディスク及び転圧ローラと平面視同一直線上に配設されると共に、その転圧ローラ側から前記作溝ディスク側へと拡開され、その拡開部分の内面間に前記作溝ディスクが遊挿される土寄せ部材と、その土寄せ部材が設けられる前記フレーム部材に搭載され、前記作溝ディスクにおける地中への埋入部分が前記土寄せ部材側へ向かうように前記作溝ディスクを回転駆動させる駆動装置とを備えている。
【０００８】
この請求項１記載の畔地作溝機によれば、水田等の圃場の畔地表面に消石灰などの固形状の忌避剤が畔地に沿ってライン状に敷設され、その忌避剤のライン上に作溝ディスクが合わせられる。駆動装置によって作溝ディスクが回転されると、その作溝ディスクが畔地表面へ埋入され、この埋入により畔地表面の土が掘削されて掘り起こされ、畔地表面に溝が形成される。この掘削に伴って、掘り起こされた土には畔地表面に敷設されていた忌避剤が混合され、土に忌避剤が混合された忌避剤混合土が生成される。
【０００９】
ここで、駆動装置により回転駆動される作溝ディスクは、地中へ埋入された部分が土寄せ部材側へ向かうように回転される。このため、作溝ディスクが忌避剤のラインに沿うようにフレーム部材を押して進行させた場合、作溝ディスクは、掘削した土をフレーム部材の進行方向後側へ掃き出して、土寄せ部材側へ衝突させる。結果、この土寄せ部材に衝突した土や忌避剤混合土は、土寄せ部材により堰き止められるので、周囲に飛散することなく、作溝された溝の両側縁部に集積される。溝の両側縁部に集積された忌避剤混合土は、フレーム部材の進行に伴って、土寄せ部材の拡開部分により作溝された溝内へ寄せ集められて、結果、作構された溝が忌避剤混合土により埋め戻される。
【００１０】
埋め戻された忌避剤混合土は、フレーム部材を進行させる過程で、フレーム部材の進行に伴って畔地表面で転動する転圧ローラにより押圧される。この押圧によって、忌避剤混合土の盛り上がりが押し潰されて、畔地表面がほぼ平坦に整地される。結果、畔地表面の土中に固形状の忌避剤が埋め込まれるので、モグラや野ネズミ等の害獣が地中を移動して圃場へ侵入することが防止される。
【００１１】
請求項２記載の畔地作溝機は、請求項１記載の畔地作溝機において、前記フレーム部材には、前記転圧ローラより前記作溝ディスクの反配設側上方へ延在されるハンドル部材が設けられている。
【００１２】
請求項３記載の畔地作溝機は、請求項１又は２に記載の畔地作溝機において、前記駆動装置は、前記転圧ローラの略上方に位置するように前記フレーム部材に搭載されている。
【００１３】
請求項４記載の畔地作溝機は、請求項１から３のいずれかに記載の畔地作溝機において、前記土寄せ部材は、前記転圧ローラ側から前記作溝ディスク側へと平面視略Ｖ字形に拡開形成されており、前記フレーム部材は、前記作溝ディスクの一部が埋入された場合、前記転圧ローラ及び前記土寄せ部材の下面によって地表面に支持される構造とされている。
【００１４】
【発明の実施の形態】以下、本発明の好ましい実施例について、添付図面を参照して説明する。図１は、本発明の畔地作溝機の一実施例である歩行型作溝機（以下単に「作溝機」と称す）１の側面図である。図１に示すように、作溝機１は、地表面Ｓ（図中の２点鎖線）に作溝するための作溝ディスク２を備えており、この作溝ディスク２は、円形薄板状に形成された基部２ａの外周に複数枚（例えば１０枚）の略台形状の歯２ｂが突出形成されたものである。この作溝機１は、作溝ディスク２の配設側（図１右側）を進行方向前側とし、転圧ローラ１２の配設側（図１左側）を進行方向後側として、図１中の矢印Ｘ方向へ進行するように構成されている。
【００１５】
図２は、作溝ディスク２の側面図である。作溝ディスク２の複数の歯２ｂは、基部２ａの外周に略等しい円弧ピッチ（間隔）Ｐで周設され、又、基部２ａの法線方向へ歯丈ｈだけ突出されている。ここで、各歯２ｂの円弧ピッチＰは歯２ｂの歯底円弧歯厚ｔの略３倍とされ（Ｐ≒３ｔ）、且つ、各歯２ｂ，２ｂ間の間隔Ｗが歯底円弧歯厚ｔ以上の長さとされている（Ｗ＞ｔ）。このように作溝ディスク２の各歯２ｂ，２ｂ間の間隔Ｗが大きく開けられているので、作溝ディスク２の歯２ｂ，２ｂ間に土が目詰まりすることを防止できる。しかも、各歯２ｂ，２ｂ間の間隔Ｗを大きく開けることによって、で作溝ディスク２の回転により掘削された土をよく攪拌させることができ、かかる攪拌作用により害獣忌避剤５２（図５参照）を掘削土中へ満遍なく拡散させることができる。
【００１６】
また、作溝ディスク２における各歯２ｂの歯丈ｈは、基部２ａの外径ｄの略１／１２倍とされている（ｈ≒ｄ×１／１２）。このように各歯２ｂの歯丈ｈをより大きくすることで、作溝ディスク２による土の掘削および攪拌作用を更に促進させることができる。一方、作溝ディスク２の基部２ａ中央には、作溝ディスク２の回転軸２ｅ（図４（ａ）参照）が軸装される円形状の軸穴２ｃが穿設されており、この軸穴２ｃの周囲には、基部２ａに回転軸２ｅを締結するためのボルトを挿通可能なボルト孔２ｄが略等角間隔で合計６箇所に穿設されている。
【００１７】
図１に戻って説明する。伝達ギア装置３は、その原動軸の回転を従動軸へ伝達するベベルギア（かさば歯車）機構を内部に備えており、かかるベベルギア機構の従動軸に作溝ディスク２の回転軸２ｅ（図４（ａ）参照）が連結されている。また、伝達ギア装置３にはメインフレーム４の一端が取着されており、結果、作溝ディスク２は伝達ギア装置３及び回転軸２ｅを介してメインフレーム４に回転可能に軸支されている。一方、メインフレーム４の他端にはクラッチボックス５を介して燃料タンク７を搭載した原動機６が取着されている。
【００１８】
図３は、メインフレーム４の内部構造を示した図である。メインフレーム４は、作溝機１の各部材を支持する円筒状の骨材であって、その内部に駆動軸８が内装されている。この駆動軸８は、その一端が伝達ギア装置３の原動軸と連結される一方、その他端がクラッチボックス５を介して原動機６と連結されている。原動機６の回転力がクラッチボックス５を介して駆動軸８へ伝達されると、この駆動軸８の回転が伝達ギア装置３を介して回転軸２ｅへ伝達されて、作溝ディスク２が図１中の反時計方向（矢印Ｒ方向）へ回転されるのである。
【００１９】
図１に戻って説明する。メインフレーム４は、その軸方向中央より原動機６側にサブフレーム９の上端が固着されている。サブフレーム９は、メインフレーム４から進行方向後側下方（図１右斜め下方向）へ延在されており、その下端部に略台形板状の連結板１０がボルト締めにより連結されている。連結板１０は転圧ローラ１２及び土寄せ部材１３をサブフレーム９に連結するものであり、その連結板１０の基端部（図１右側）であってサブフレーム９の締結部分近傍には、ローラフレーム１１のステー１１ａの先端がボルト締めにより連結されている。
【００２０】
ローラフレーム１１は、転圧ローラ１２の機軸１２ａを支持するものであり、この機軸１２ａにより転圧ローラ１２はローラフレーム１１に回転可能に軸支されている。また、転圧ローラ１２の上方には、上記したステー１１ａの基端部がローラフレーム１１に固着されている。転圧ローラ１２は、土寄せ部材１３により寄せ集められた土の上を転動することにより押圧して固めるものであり、作溝ディスク２及び土寄せ部材１３より作溝機１の進行方向後側（図１右側）に配設されている。
【００２１】
一方、連結板１０の先端部（図１左側）には土寄せ部材１３がボルト締めにより連結されている。土寄せ部材１３は、作溝ディスク２により掘削された土を埋め戻すための部材であり、かかる土寄せ部材１３の下端面は略平面状に形成されている。しかも、作溝ディスク２が地中へ埋入された場合、転圧ローラ１２及び土寄せ部材１３の下端面が面一となって地表面Ｓ（図１の２点鎖線）に接するように構成されている。なお、土寄せ部材１３の更なる詳細については後述する。
【００２２】
また、転圧ローラ１２及び土寄せ部材１３の下端面が地表面Ｓと接した状態において、その転圧ローラ１２の略上方にはメインフレーム４に取着された原動機６が位置するようにされている。作溝機１の構成部品の内で重量物である原動機６が転圧ローラ１２の略上方に位置するので、転圧ローラ１２を地表面Ｓに強く押し付けることができる。よって、土寄せ部材１３により埋め戻された土をより頑丈に押し固めることができるのである。
【００２３】
一方、メインフレーム４及びサブフレーム９間には、その各フレーム４，９に両端が固着された補強フレーム１１が設けられている。よって、サブフレーム９に加わる荷重負荷、具体的には原動機６の荷重負荷が補強フレーム１１にも分散されるので、フレーム４，９の固着部分への過度の応力集中を抑制して、過負荷によるフレーム４，９の固着部分の破損を防止している。
【００２４】
また、メインフレーム４の軸方向中央よりクラッチボックス５側の部分には取付具１５を介してハンドル１６が取り付けられている。ハンドル１６は、使用者が作溝機１を押し動かすために利用される部材であり、メインフレーム４から原動機６及び転圧ローラ１２の上方を超えて更に進行方向後側上方（図１の右斜め上方向）、即ち、作溝ディスク２の反配設側上方へ延在されている。このハンドル１６の延在部分の先端側は、転圧ローラ１２及び土寄せ部材１３の下端面が地表面Ｓと接した状態において地表面Ｓと略平行となるように略く字形に屈曲され、その屈曲部分の先端が作業者の手で握持（把持）される握持部１６ａとされている。
【００２５】
上記の通り、ハンドル１６は、メインフレーム４から原動機６及び転圧ローラ１２の上方を超えて更に進行方向後側上方へ延在されるので、ハンドル１６の握持部１６ａを握持する作業者の足元を転圧ローラ１２より進行方向後側に位置させることができる（図６参照）。よって、ハンドル１６を把持して作溝機１を押し動かす際に、転圧ローラ１２が作業者の足元で蹴り上げられたり、或いは、作業者が転圧ローラ１２に躓く等の不具合を防止でき、更に、転圧ローラ１２により押圧された箇所を作業者の足元で更に踏み固めることもできるのである。
【００２６】
図４（ａ）は、作溝ディスク２、転圧ローラ１２及び土寄せ部材１３の配設状態を示した平面図であり、図４（ｂ）は、図４（ａ）の土寄せ部材１３を矢印Ｂ方向から見た図、即ち、土寄せ部材１３の正面図である。図４（ａ）に示すように、作溝ディスク２の中央部分には図１に示す伝達ギア装置と連結される回転軸２ｅが作溝ディスク２の幅Ｗ１方向へ貫通しており、かかる回転軸２ｅはボルト孔２ｄに挿通されるボルトナットを介して軸穴２ｃに軸装されている。
【００２７】
一方、転圧ローラ１２の幅Ｗ２は、作溝ディスク２の幅Ｗ１に比べて幅広とされており、作溝ディスク２により作溝される溝の幅より大きくなるようにされている。よって、作溝された溝に埋め戻された土を転圧ローラ１２により押圧する場合、その埋め戻された土を余すことなく転圧ローラ１２により押し固めることができる。また、作溝ディスク２、転圧ローラ１２及び土寄せ部材１３は、中心線Ｌ上に順に配設されており、その作溝ディスク２を前輪とすると共に転圧ローラ１２を後輪とした二輪車状の形態とされている。結果、本実施例の作溝機１は、その全幅を小さくすることができるので、大型機器の乗り入れが困難な幅の狭い畔地５１へも容易に乗り上がることができ、且つ、幅狭な畔地５１上から脱落することなく円滑な作業を行うことができるのである。
【００２８】
土寄せ部材１３は、作溝ディスク２及び転圧ローラ１２間に配設されており、中心線Ｌに対して線対称に配設される一対の板材１３ａ，１３ａを備えている。土寄せ部材１３は、かかる一対の板材１３ａ，１３ａを転圧ローラ１２側から作溝ディスク２側へと平面視略Ｖ字形に拡開するように連結板１０にボルト締めにより繋ぎ合わせたものであり、その一対の板材１３ａ，１３ａ間には作溝ディスク２側から転圧ローラ１２側へと幅員が狭窄した間隙１３ｂが形成されている。
【００２９】
この土寄せ部材１３の間隙１３ｂの内面間には、作溝ディスク２における転圧ローラ１２側の部分が遊挿されており、かかる間隙１３ｂ内で作溝ディスク２が回転可能とされている。また、図４（ｂ）に示すように、土寄せ部材１３の板材１３ａ，１３ａは略垂直に立設されており互いに略平行となるように繋ぎ合わせられている。
【００３０】
次に、図５及び図６を参照して、上記のように構成された作溝機１の動作及び使用方法について説明する。ここで、図５は、作溝機１の使用場所の一例である水田５０の図であり、図６は、作溝ディスク２が地中へ埋入された状態における作溝機１の側面図である。
【００３１】
図５に示すように、水田５０，５０は、互いに隣接するもの同士が各水田５０の縁部に沿って盛り土状に延設された畔地５１で区画されている。顆粒状の消石灰などの害獣忌避剤５２は、水田５０の畔地５１の延設方向に沿って畔地５１の地表面に直線状（ライン状）に敷設される。害獣忌避剤５２の敷設後は、図４（ａ）に示す作溝機１の中心線Ｌを直線状の害獣忌避剤５２に一致させ、作溝ディスク２を矢印Ｘ方向へ向けて、作溝機１を畔地５１の地表面に設置させる。
【００３２】
作溝機１の設置後、原動機６を駆動させると、原動機６の回転力がクラッチボックス５を介して駆動軸８へ伝達され、その駆動軸８の回転が伝達ギア装置３を介して回転軸２ｅへ伝達されて、作溝ディスク２が矢印Ｒ方向へ回転される。図６に示すように、回転する作溝ディスク２は畔地５１の地中へ埋入され、その作溝ディスク２の回転により畔地５１の地表面から土が掘削されて、畦地５１表面に溝５３が作溝される。一方、作溝ディスク２による作溝に伴って、掘削された土には畔地５１表面に敷設されていた害獣忌避剤５２が混合され、土に害獣忌避剤５２が混合された忌避剤混合土５４が生成される。
【００３３】
ここで、回転される作溝ディスク２は、地中へ埋入された部分が土寄せ部材１３側へ向かうように図６の反時計方向（矢印Ｒ方向）へ回転される。このため、作溝ディスク２により掘削され害獣忌避剤５２が混合された忌避剤混合土５４は、進行方向後側（反矢印Ｘ方向）上方へ巻き上げられるように掃き出され、土寄せ部材１３の板材１３ａ，１３ａに衝突させられる。結果、この土寄せ部材１３に衝突した忌避剤混合土５４は、土寄せ部材１３により堰き止められ、土寄せ部材１３の間隙１３ｂ外へ飛散することなく、溝５３の縁部に集積される。
【００３４】
作溝ディスク２が地中へ埋入した後、作業者によりハンドル１６の握持部１６ａが握持され、このハンドル１６が矢印Ｘ方向へ押されると、作溝機１の矢印Ｘ方向へ向けた進行が開始される。この作溝機１の進行に伴って、溝５３の縁部に集積された忌避剤混合土５４は拡開された土寄せ部材１３の板材１３ａ，１３ａにより溝５３内へ寄せ集められ、この忌避剤混合土５４により溝５３が埋め戻される。埋め戻された忌避剤混合土５４は、作溝機１を矢印Ｘ方向へ進行させる過程で畔地５１表面で転動する転圧ローラ２により押圧され、忌避剤混合土５４の盛り上がりが押し潰されて畔地５１表面がほぼ平坦に整地される。
【００３５】
以上説明したように、本実施例の作溝機１によれば、作業者は害獣忌避剤５２をライン状に敷設した畔地５１上で作溝機１を押し動かすだけで、畔地５１の地表面に溝５３を作溝し、その溝５３の中へ土及び害獣忌避剤５２を混合した忌避剤混合土５４を混入させ、更に、畔地５１の溝５３を埋め戻して整地できる。よって、水田５０の畔地５１に害獣忌避剤５２を埋設する際の作業者の労力を軽減できるのである。
【００３６】
また、作溝ディスク２が地中へ埋入された場合、転圧ローラ１２及び土寄せ部材１３の下端面が面一となって地表面Ｓ（図１の２点鎖線）に接するように構成されるので、作業者がハンドル１６から手を離したとしても、作溝機１が転倒することがない。よって、作業者は作溝機１による作業中に常にハンドル１６を持ち続ける必要がなく、その分、作業者に加わる負担が軽減される。しかも、土寄せ部材１３の板材１３ａ，１３ａは、転圧ローラ１２側から作溝ディスク２側へと平面視略Ｖ字形に拡開した形状とされるので、作溝機１をより安定した状態で地表面Ｓ上に支持できる。
【００３７】
次に、図７及び図８を参照して、上記実施例の変形例について説明する。図７（ａ）は、第２実施例の作溝機１００の側面図であり、図７（ｂ）は、作溝機１００の土寄せ部材１０１の正面図であり、図８（ａ）は、第２実施例の作溝機１００の使用状態を示す側面図である。なお、図７（ａ）及び図８（ａ）では、土寄せ部材１０１を縦断面視している。
【００３８】
第２実施例の作溝機１００は、上記した第１実施例の作溝機１に対して、土寄せ部材に切欠部を設けたものである。以下、第１実施例と同一の部分には同一の符号を付して、その説明を省略し、異なる部分のみを説明する。
【００３９】
図７（ａ）に示すように、土寄せ部材１０１は、作溝機１００の進行方向後部に切欠部１０２が形成されており、この切欠部１０２は土寄せ部材２１の間隙１３ｂから土寄せ部材１３の進行方向後方へと貫通されている。図７（ｂ）に示すように、切欠部１０２は上側から下側へ横幅が漸増する正面視略逆Ｖ字形に形成されており、図８（ａ）に示すように土寄せ部材２１により寄せ集められた土を山形状の畝５５に成形することができる。この切欠部１０２の最も下側の横幅Ｗ３は転圧ローラ１２の車輪幅Ｗ２とほぼ等しく或いは若干幅狭とされており、かかる切欠部２１ａにより成形された畝５５が転圧ローラ１２により余すことなく押圧されるようにされている。
【００４０】
図８（ｂ）は、第３実施例の土寄せ部材２０１の正面図である。第２実施例の土寄せ部材２０１は、上記した第２実施例の土寄せ部材１０１の形態を変更したものである。以下、第２実施例と同一の部分には同一の符号を付して、その説明を省略し、異なる部分のみを説明する。
【００４１】
図８（ｂ）に示すように、土寄せ部材２０１の板材１３ａ，１３ａは、間隙１３ｂの幅員が下端側から上端側へと狭窄するように正面視略八字形に繋ぎ合わせられている。即ち、板材１３ａ，１３ａ間の間隙１３ｂは、下方に比べて上方の方が狭くされている。このように構成することによって、作溝ディスク２の回転により巻き上げられる土が、間隙１３ｂの上部から土寄せ部材１３の外へ飛散し難くされている。
【００４２】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４３】
【発明の効果】請求項１記載の畔地作溝機によれば、畔地表面に固形状の忌避剤をライン状に敷設して、その忌避剤のラインに沿って畔地作溝機のフレーム部材を押し動かすだけで、畔地表面に溝を作構し、その作溝時に掘り返された土に忌避剤を混入し、その忌避剤が混入された土を作構された溝へ埋め戻し、更に、その土が埋め戻された箇所を整地して畔地表面を復旧させる一連の作業を行うことができる。よって、固形状の忌避剤を埋め込む一連の作業を作業者が手作業で行う必要がなく、その分、作業者の作業負担を軽減できるという効果がある。しかも、畔地へ埋め込まれた忌避剤は埋め戻す際に、作溝ディスクの回転により土に混ぜ込まれるので、作溝された溝の深さ方向に忌避剤を満遍なく行き渡らせることができるという効果がある。
【００４４】
請求項２記載の畔地作溝機によれば、請求項１記載の畔地作溝機の奏する効果に加え、フレーム部材には転圧ローラより作溝ディスクの反配設側上方へ延在されるハンドル部材が設けられるので、かかるハンドル部材を把持することでフレーム部材が畔地上で押し動かされる。かかる場合、ハンドル部材は転圧ローラより作溝ディスクの反配設側上方、即ち、フレーム部材の進行方向後側上方へ延在されるので、ハンドル部材を把持する作業者の足元を転圧ローラより進行方向後側に位置させることができる。よって、ハンドル部材を把持してフレーム部材を押し動かす際に、転圧ローラが作業者の足元で蹴り上げられたり、或いは、作業者が転圧ローラに躓く等の不具合を防止でき、更に、転圧ローラにより押圧された箇所を作業者の足元で更に踏み固めることができるという効果がある。
【００４５】
請求項３記載の畔地作溝機によれば、請求項１又は２に記載の畔地作溝機の奏する効果に加え、フレーム部材には重量物である駆動装置が転圧ローラの略上方に位置するように搭載されるので、かかる駆動装置の重みにより転圧ローラによる押圧力を増加できるという効果がある。よって、土寄せ部材により埋め戻された忌避剤混合土をより強く押し固めることができるという効果がある。
【００４６】
請求項４記載の畔地作溝機によれば、請求項１から３のいずれかに記載の畔地作溝機の奏する効果に加え、作溝する際に作溝ディスクの一部が埋入された場合、フレーム部材は転圧ローラ及び土寄せ部材の下面によって地表面に支持される構造とされるので、作業者がフレーム部材から手を離したとしても、フレーム部材が転倒することがない。よって、作業者は本発明の作溝機による作業中に常にフレーム部材を支え続ける必要がなく、その分、作業者に加わる負担を軽減することができるという効果がある。しかも、土寄せ部材は転圧ローラ側から作溝ディスク側へと平面視略Ｖ字形に拡開した形状であるので、フレーム部材をより安定した状態で地表面上に支持できるという効果がある。
【図面の簡単な説明】
【図１】本発明の一実施例である歩行型作溝機の側面図である。
【図２】作溝ディスクの側面図である。
【図３】メインフレームの内部構造を示した図である。
【図４】（ａ）は、作溝ディスク、転圧ローラ及び土寄せ部材の配設状態を示した平面図であり、（ｂ）は、土寄せ部材の正面図である。
【図５】歩行型作溝機の使用場所の一例である水田の図である。
【図６】作溝ディスクが地中へ埋入された状態における歩行型作溝機の側面図である。
【図７】（ａ）は、第２実施例の歩行型作溝機の側面図であり、（ｂ）は、（ａ）図示した歩行型作溝機の土寄せ部材の正面図である。
【図８】（ａ）は、第２実施例の歩行型作溝機の使用状態を示す側面図であり、（ｂ）は、第３実施例の土寄せ部材の正面図である。
【符号の説明】
１　　　　　　　　歩行型作溝機（畔地作溝機）
２　　　　　　　　作溝ディスク
２ｂ　　　　　　　歯
２ｅ　　　　　　　回転軸（フレーム部材の一部、駆動装置の一部）
３　　　　　　　　伝達ギア装置（フレーム部材の一部、駆動装置の一部）
４　　　　　　　　メインフレーム（フレーム部材の一部）
５　　　　　　　　クラッチボックス（駆動装置の一部）
６　　　　　　　　原動機（駆動装置の一部）
８　　　　　　　　駆動軸（駆動装置の一部）
９　　　　　　　　サブフレーム（フレーム部材の一部）
１０　　　　　　　連結板（フレーム部材の一部）
１１　　　　　　　ローラフレーム（フレーム部材の一部）
１２　　　　　　　転圧ローラ
１３　　　　　　　土寄せ部材
１３ａ　　　　　　間隙（土寄せ部材の拡開部分）
１６　　　　　　　ハンドル（ハンドル部材）
５０　　　　　　　水田（圃場の一例）
５１　　　　　　　畔地
【図１】
2004113121.tif 000003
【図２】
2004113121.tif 000004
【図３】
2004113121.tif 000005
【図４】
2004113121.tif 000006
【図５】
2004113121.tif 000007
【図６】
2004113121.tif 000008
【図７】
2004113121.tif 000009
【図８】
2004113121.tif 000010